【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
少なくとも２つの任意の関数を設定可能な関数設定手段と、
前記関数設定手段により設定された関数のそれぞれについて、音色を構成する少なくとも１以上のトーンを指定可能なトーン指定手段と、
前記トーン指定手段により指定されるトーンを発生するトーン発生手段と
を有し、
前記関数設定手段により設定された関数は、前記トーン指定手段によりトーンが指定されている場合には、入力された演奏情報と所定の条件とに従い、前記トーン発生手段に対して、指定された少なくとも１以上のトーンのうちいずれかのトーンの発生を指示する
ことを特徴とする電子楽器。
【請求項２】
請求項１記載の電子楽器において、
前記関数設定手段により設定された関数は、演奏情報が入力される演奏情報入力手段と前記演奏情報を出力する少なくとも１以上の演奏情報出力手段とを有するものであり、
さらに、前記少なくとも２つの任意の関数のうち所定の関数の演奏情報出力手段と前記所定の関数とは異なる関数の演奏情報入力手段とを任意に接続可能な接続設定手段
を有することを特徴とする電子楽器。
【請求項３】
少なくとも２つの関数を設定可能な関数設定情報を生成する関数設定情報生成手段と、
前記関数設定情報生成手段により生成された関数設定情報により設定された関数のそれぞれについて、音色を構成する少なくとも１以上のトーンを指定可能なトーン指定情報を生成するトーン指定情報生成手段と、
前記トーン指定情報生成手段により生成されたトーン指定情報により指定されるトーンを発生するトーン発生手段と
を有し、
前記関数設定情報生成手段により生成された関数設定情報により設定された関数は、前記トーン指定情報によりトーンが指定されている場合には、入力された演奏情報と所定の条件とに従い、前記トーン発生手段に対して、指定された少なくとも１以上のトーンのうちいずれかのトーンの発生を指示する
ことを特徴とする電子楽器。
【請求項４】
請求項３記載の電子楽器において、
前記関数設定情報生成手段により生成された関数設定情報により設定された関数は、演奏情報が入力される演奏情報入力手段と、前記演奏情報を出力する少なくとも１以上の演奏情報出力手段とを有するものであり、
さらに、前記少なくとも２つの任意の関数のうち所定の関数の演奏情報出力手段と前記所定の関数とは異なる関数の演奏情報入力手段とを任意に接続することを指定する接続指定情報を生成する接続指定情報生成手段と、前記接続指定情報生成手段により生成された接続指定情報により指定された演奏情報出力手段と演奏情報入力手段とを接続可能な接続設定手段と
を有することを特徴とする電子楽器。
【請求項５】
請求項１記載の電子楽器において、
前記トーン発生手段は、前記トーン指定手段により指定されるトーンをそれぞれ生成する少なくとも１以上のトーン生成手段を有し、前記関数設定手段により設定された関数は、演奏情報と所定の条件とに従い、いずれかのトーン生成手段にトーンの生成を指示する
ことを特徴とする電子楽器。
【請求項６】
請求項３記載の電子楽器において、
前記トーン発生手段は、前記トーン指定情報生成手段により生成されるトーン指定情報により指定されるトーンをそれぞれ生成する少なくとも１以上のトーン生成手段を有し、
前記関数設定情報生成手段により生成された関数設定情報により設定された関数は、演奏情報と所定の条件とに従い、いずれかのトーン生成手段にトーンの生成を指示する
ことを特徴とする電子楽器。
【請求項７】
請求項２記載の電子楽器において、
前記関数設定手段により設定された関数は、前記演奏情報入力手段に入力された演奏情報に基づき、前記トーン指定手段により前記関数に指定される前記少なくとも１以上のトーンのうちいずれかのトーンの発生を指示するか、あるいは前記少なくとも１以上の演奏情報出力手段の中から１または複数の出力先を決定する
ことを特徴とする電子楽器。
【請求項８】
請求項４記載の電子楽器において、
前記関数設定情報生成手段により生成された関数設定情報により設定された関数は、前記演奏情報入力手段に入力された演奏情報に基づき、前記トーン指定情報生成手段により生成されるトーン指定情報により前記関数に指定される前記少なくとも１以上のトーンのうちいずれかのトーンの発生を指示するか、あるいは前記少なくとも１以上の演奏情報出力手段の中から１または複数の出力先を決定する
ことを特徴とする電子楽器。
【手続補正２】
【補正対象書類名】明細書
【補正対象項目名】００１９
【補正方法】変更
【補正の内容】
【００１９】
【課題を解決するための手段】
上記目的を達成するために、本発明のうち請求項１に記載の発明は、少なくとも２つの任意の関数を設定可能な関数設定手段と、上記関数設定手段により設定された関数のそれぞれについて、音色を構成する少なくとも１以上のトーンを指定可能なトーン指定手段と、上記トーン指定手段により指定されるトーンを発生するトーン発生手段とを有し、上記関数設定手段により設定された関数は、上記トーン指定手段によりトーンが指定されている場合には、入力された演奏情報と所定の条件とに従い、上記トーン発生手段に対して、指定された少なくとも１以上のトーンのうちいずれかのトーンの発生を指示するようにしたものである。
【手続補正３】
【補正対象書類名】明細書
【補正対象項目名】００２１
【補正方法】変更
【補正の内容】
【００２１】
また、本発明のうち請求項２に記載の発明は、本発明のうち請求項１に記載の発明において、上記関数設定手段により設定された関数は、演奏情報が入力される演奏情報入力手段と上記演奏情報を出力する少なくとも１以上の演奏情報出力手段とを有するものであり、さらに、上記少なくとも２つの任意の関数のうち所定の関数の演奏情報出力手段と上記所定の関数とは異なる関数の演奏情報入力手段とを任意に接続可能な接続設定手段を有するようにしたものである。
【手続補正４】
【補正対象書類名】明細書
【補正対象項目名】００２２
【補正方法】変更
【補正の内容】
【００２２】
また、本発明のうち請求項３に記載の発明は、少なくとも２つの関数を設定可能な関数設定情報を生成する関数設定情報生成手段と、上記関数設定情報生成手段により生成された関数設定情報により設定された関数のそれぞれについて、音色を構成する少なくとも１以上のトーンを指定可能なトーン指定情報を生成するトーン指定情報生成手段と、上記トーン指定情報生成手段により生成されたトーン指定情報により指定されるトーンを発生するトーン発生手段とを有し、上記関数設定情報生成手段により生成された関数設定情報により設定された関数は、上記トーン指定情報によりトーンが指定されている場合には、入力された演奏情報と所定の条件とに従い、上記トーン発生手段に対して、指定された少なくとも１以上のトーンのうちいずれかのトーンの発生を指示するようにしたものである。
【手続補正５】
【補正対象書類名】明細書
【補正対象項目名】００２３
【補正方法】変更
【補正の内容】
【００２３】
従って、本発明のうち請求項３に記載の発明によれば、トーン発生手段にいずれのトーンを発生するかを任意に指示することができるので、音色を構成する際に必要とされるトーンの振る舞い、即ち、トーンをどのように使用するかを、音色毎に任意に設定することができるようになる。
【手続補正６】
【補正対象書類名】明細書
【補正対象項目名】００２４
【補正方法】変更
【補正の内容】
【００２４】
また、本発明のうち請求項４に記載の発明は、本発明のうち請求項３に記載の発明において、上記関数設定情報生成手段により生成された関数設定情報により設定された関数は、演奏情報が入力される演奏情報入力手段と、上記演奏情報を出力する少なくとも１以上の演奏情報出力手段とを有するものであり、さらに、上記少なくとも２つの任意の関数のうち所定の関数の演奏情報出力手段と上記所定の関数とは異なる関数の演奏情報入力手段とを任意に接続することを指定する接続指定情報を生成する接続指定情報生成手段と、上記接続指定情報生成手段により生成された接続指定情報により指定された演奏情報出力手段と演奏情報入力手段とを接続可能な接続設定手段とを有するようにしたものである。
【手続補正７】
【補正対象書類名】明細書
【補正対象項目名】００２５
【補正方法】変更
【補正の内容】
【００２５】
また、本発明のうち請求項５に記載の発明は、本発明のうち請求項１に記載の発明において、上記トーン発生手段は、上記トーン指定手段により指定されるトーンをそれぞれ生成する少なくとも１以上のトーン生成手段を有し、上記関数設定手段により設定された関数は、演奏情報と所定の条件とに従い、いずれかのトーン生成手段にトーンの生成を指示するようにしたものである。
【手続補正８】
【補正対象書類名】明細書
【補正対象項目名】００２６
【補正方法】変更
【補正の内容】
【００２６】
また、本発明のうち請求項６に記載の発明は、本発明のうち請求項３に記載の発明において、上記トーン発生手段は、上記トーン指定情報生成手段により生成されるトーン指定情報により指定されるトーンをそれぞれ生成する少なくとも１以上のトーン生成手段を有し、上記関数設定情報生成手段により生成された関数設定情報により設定された関数は、演奏情報と所定の条件とに従い、いずれかのトーン生成手段にトーンの生成を指示するようにしたものである。
【手続補正９】
【補正対象書類名】明細書
【補正対象項目名】００２７
【補正方法】変更
【補正の内容】
【００２７】
また、本発明のうち請求項７に記載の発明は、本発明のうち請求項２に記載の発明において、上記関数設定手段により設定された関数は、上記演奏情報入力手段に入力された演奏情報に基づき、上記トーン指定手段により上記関数に指定される上記少なくとも１以上のトーンのうちいずれかのトーンの発生を指示するか、あるいは上記少なくとも１以上の演奏情報出力手段の中から１または複数の出力先を決定するようにしたものである。
【手続補正１０】
【補正対象書類名】明細書
【補正対象項目名】００２８
【補正方法】変更
【補正の内容】
【００２８】
また、本発明のうち請求項８に記載の発明は、本発明のうち請求項４に記載の発明において、上記関数設定情報生成手段により生成された関数設定情報により設定された関数は、上記演奏情報入力手段に入力された演奏情報に基づき、上記トーン指定情報生成手段により生成されるトーン指定情報により上記関数に指定される上記少なくとも１以上のトーンのうちいずれかのトーンの発生を指示するか、あるいは上記少なくとも１以上の演奏情報出力手段の中から１または複数の出力先を決定するようにしたものである。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】